(57)【要約】【課題】一般的なトイレットペーパーホルダー部に取り付けられたトイレットペーパーを使用すると、トイレットペーパーを１回使用した後、ペーパーの端部はちょうどペーパー切断板の下に隠れてしまい、次の紙を使用するためにペーパー端部引き出す動作が、困難で時間がかかってしまう問題がある。【解決手段】本発明では、このような問題を解決するために、既設のトイレットペーパーホルダー部に後から付加的に取り付けることができ、ペーパー切断板の下に隠れたトイレットペーパーの端部を誰もが容易に引き出すことができる、トイレットペーパー回転補助具を提供する。【選択図】図４
2007275533.tif 000002
【特許請求の範囲】
【請求項１】
トイレットペーパーを支える芯棒（以下芯棒と略す）を通すことができる中空部材と、その中空部材と結合され、トイレットペーパーの中空内径部に食いつく爪部と、また芯棒を通すことができる中空部材と垂直に結合された薄い平板からなり、薄い平板の最外周部がトイレットペーパーより少しだけ大きいことを特徴とし、本具の爪部をトイレットペーパーの中空内径部に食いつかせた状態で、本具の中空部及びトイレットペーパーに芯棒を通して、トイレットペーパーホルダーに設置すると、本具中空部材と垂直に結合された薄い平板がトイレットペーパーの円筒切断面と平行に設置され、この薄い平板の外周部を指で回転させることにより、トイレットペーパーを容易に回転させ、トイレットペーパー切断板の下に隠れているペーパー端部を容易に引き出せることを特徴としたトイレットペーパー回転補助具。
【請求項２】
請求項１のトイレットペーパー回転補助具において、本トイレットペーパー回転補助具の薄い平板部の外周部に指を引っ掛け易いような切り欠きを入れたことを特徴とするトイレットペーパー回転補助具。
【請求項３】
請求項１のトイレットペーパー回転補助具において、本トイレットペーパー回転補助具の薄い平板部が、１枚の板でなく何枚もの羽状の板からなることを特徴とするトイレットペーパー回転補助具。
【請求項４】
請求項１または請求項２または請求項３のトイレットペーパー回転補助具において、本トイレットペーパー回転補助具の材質が、樹脂であることを特徴とするトイレットペーパー回転補助具。
【請求項５】
請求項１または請求項２または請求項３のトイレットペーパー回転補助具において、本トイレットペーパー回転補助具の材質が、板金であることを特徴とするトイレットペーパー回転補助具。
【請求項６】
請求項１または請求項２または請求項３のトイレットペーパー回転補助具において、本トイレットペーパー回転補助具の薄い平板部の厚みが、０．１ｍｍ〜５ｍｍ程度であることを特徴とするトイレットペーパー回転補助具。
【発明の詳細な説明】
【技術分野】
【０００１】本発明は、トイレットペーパーを取り付けるために、トイレにはじめから設置されているトイレットペーパーホルダー部品に、後から容易に取り付けて使用するトイレットペーパーの回転補助具に関する。
【背景技術】
【０００２】トイレットペーパーを取り付けるための、トイレに既設のトイレットペーパーホルダー部品は、一般的に大きく分類すると、トイレットペーパーを支える芯棒と、芯棒を両端で支えるホルダー部とホルダー部に回転自在に取り付けられたトイレットペーパー切断板からなる。【０００３】トイレットペーパーホルダー部にトイレットペーパーを取り付け、ペーパーを使用する場合は、通常、トイレットペーパーを直接手で回転させて、ペーパー端部を引き出し、ペーパー端部を持って使用する量のペーパーを更に引き出し、ペーパー切断板を上から手で押えてトイレットペーパーの回転を停止させ、同時にペーパー切断板の端面に沿うようにしてペーパーを切り取り使用する。
【発明の開示】
【発明が解決しようとする課題】
【０００４】このように、一般的なトイレットペーパーホルダー部に取り付けられたトイレットペーパーを使用すると、トイレットペーパーを１回使用した後、ペーパーの端部はちょうどペーパー切断板の下に隠れてしまい、次に使用するペーパーを引き出すためには、ペーパー切断板の下に隠れたペーパーの端部を手でつかみやすくするため、通常トイレットペーパーを直接手で回転させる等により、ペーパーの端部を少しだけ引き出す動作が必要となる。【０００５】通常、このペーパーの端部を少しだけ引き出してつまむ動作が面倒で、ペーパーを使用する際に、時間が余計にかかってしまう原因となっている。【０００６】また、手に障害がある人などが使用する際には、このペーパーの端部を少しだけ引き出してつまむ動作が一番の障害動作となっている。
【課題を解決するための手段】
【０００７】本発明では、このような問題を解決するために、ペーパー切断板の下に隠れたトイレットペーパーの端部を引き出すための動作を誰もが容易にできる、トイレットペーパー回転補助具を、後から付加的に既設のトイレットペーパーホルダー部に取り付けられることを特徴とする。【０００８】トイレットペーパー回転補助具は、中空部材とそれに接合された爪と中空部材と垂直に接合された平板からなり、中空部材に接合された爪をトイレットペーパーの中空内径部に食い込ませるようにセットし、一体化した中空部材とトイレットペーパーに芯棒を挿入して、ホルダーに設置すると、トイレットペーパーの外径より少しだけ大きい薄い平板が、トイレットペーパーの横切断面と平行な状態で、トイレットペーパーホルダーにセットされ、このトイレットペーパーの最外周より少しだけ突き出した平板に、指を掛けて押し下げれば、トイレットペーパーは容易に回転し、ペーパー切断板の下に隠れたペーパーの端部が、容易に引き出されることになる。
【発明の効果】
【０００９】このように、トイレットペーパー回転補助具を既設のトイレットペーパーホルダーに付加的に取り付けることにとり、１度使用した後のペーパー切断板の下に隠れたトイレットペーパーの端部を引き出すためのトイレットペーパー回転動作を、誰もが容易に行うことができ、その結果、その後のトイレットペーパーの端部をつまんで更に引き出す動作を容易に行うことが可能となる。
【発明を実施するための最良の形態】
【００１０】本発明の実施形態例１の構造図を図１に示す。図１からわかるように、本発明のトイレットペーパー回転補助具は、中空部材２及びそれと結合した平板１と爪３から構成されている。平板１には、後で動作を説明するように、指でトイレットペーパーを回転させ易くするために、指を引っ掛けるための切り欠きがあった方が良い。【００１１】本発明の実施形態例２の構造図を図２に示す。図２からわかるように、トイレットペーパー回転補助具の薄い平板１ａは、図１のような１枚構成でなく、図２のような複数枚の羽状の板で構成されていてもよい。図２では４枚の羽で構成されているが、もっと多くの数の羽で構成されていてもよい。【００１２】本発明の実施形態例３の構造図を図３に示す。図１及び図２の例では、その形状は樹脂の成形品で製作することを前提としていたが、図３の実施形態例３では、板金部材の打ち抜き及び曲げ加工で成形し、図１及び図２の樹脂形状のものと同等の機能を持たせることができる形態例である。【００１３】本発明の実施形態例２のトイレットペーパー回転補助具を、既設のトイレットペーパーホルダー部にトイレットペーパーと一緒に設置した例を図４に示す。以下図４を用いてトイレットペーパー回転補助具の動作原理を説明する。【００１４】トイレットペーパー６を既設のトイレットペーパーホルダー部に設置するにあたり、まず、トイレットペーパー回転補助具８の爪をトイレットペーパー６の中空内径部に食い込ませるように組む。その後、１体化したトイレットペーパー６とトイレットペーパー回転補助具８の中空部に芯棒７を通し、芯棒７をホルダー５にセットする。そうしたら、トイレットペーパー６とトイレットペーパー回転補助具８を図４の正面からみて右方向に寄せ、トイレットペーパー回転補助具８の平板部が、ペーパー切断板４のガタ分の隙間から外に、はみ出るように位置決めする。これで、既設のトイレットペーパーホルダー部への設置は完了である。【００１５】次に、実際に使用する際であるが、トイレットペーパー６を１回使用した後は、トイレットペーパー６の端部は、ペーパー切断板４に沿って切られた後、ペーパー切断板４の下に隠れている。そこで、トイレットペーパー６の外周部より少しだけ大きいトイレットペーパー回転補助具８の平板羽部に指を引っ掛けて、９０°もしくはもう少し大きい角度トイレットペーパー回転補助具８を回転させれば、トイレットペーパー回転補助具８と１体化したトイレットペーパー６も容易に一緒に回転し、その結果、トイレットペーパー６のペーパー端部が、垂れ下がるように引き出され、その後ペーパー端部を指でつかんで、更に実際に使用する分だけペーパーを引き出す動作が容易に実施可能になる。
【図面の簡単な説明】
【図１】実施形態例１の構造図
【図２】実施形態例２の構造図
【図３】実施形態例３の構造図
【図４】実施形態例２での動作原理説明図
【符号の説明】
１・・・平板
１ａ・・羽状の平板
２・・・中空部材
３・・・爪
４・・・ペーパー切断板
５・・・ホルダー
６・・・トイレットペーパー
７・・・芯棒
８・・・トイレットペーパー回転補助具
【図１】
2007275533.tif 000003
【図２】
2007275533.tif 000004
【図３】
2007275533.tif 000005
【図４】
2007275533.tif 000006